(57)【要約】【課題】  本考案は、体温を下げるのに密接にかかわる身体の太い血管及びリンパ線に実効的冷却効果を発揮する配置構成となる形状を採用しつつ、作業、生活、或いは運動等の動作に支障の出ないフレキシビリティーで小型軽量な携帯機能を有する熱中症対策用の体温調節装置の提供を図る。【解決手段】冷媒循環ホースと、循環ホース変形抑止具と、冷却装置と、から構成され、該冷媒循環ホースには、装着者の所定部位を通る屈曲形態を維持するように成形されたフレキシブルホースを用い、装着者との非接触面部は熱放射性の低い被覆材料で被覆して構成し、これに循環ホース変形抑止具を備えて、前記冷却装置に連結して構成されることを特徴とする熱中症対策用体温調節装置とした。【選択図】図１
0003171066.tif 000002
【実用新案登録請求の範囲】
【請求項１】
冷媒循環ホースと、循環ホース変形抑止具と、冷却装置と、から構成される熱中症対策用体温調節装置であって、
前記冷媒循環ホースは、
装着者の首筋の後部から左右の両肩を通り、更に各左右の両脇の下を通って背中に配置される前記冷却装置左右に接続する形態に屈曲した管状部材であり、
前記屈曲形態を維持するように成形された弾力性を有する曲げホース、又はその形態に屈曲して該形態を維持可能なフレキシブルホースを用い、
装着者との非接触面部は熱放射性の低い被覆材料で被覆して構成され、
前記循環ホース変形抑止具は、
装着者の動作に対応して前記冷媒循環ホースの変形を抑制すると共に、首締り防止を図るための部材であり、
前記冷媒循環ホースの変形領域を確保しつつ抑制するための高伸縮部と、
前記冷媒循環ホースが所定以上の変形とならないようにして首締まりを防止する安全領域を確保するための低伸縮部と、から構成され、
前記冷却装置は、
冷媒を貯留する貯留部と、
冷媒を冷却する冷却部と、
冷媒を循環させる駆動部と、
該駆動部を駆動させるための電源部と、から構成され、
前記冷媒循環ホースの首部前面所定位置に前記変形抑止具を備え、該冷媒循環ホースの両端部が前記冷却装置に連結して構成されることを特徴とする熱中症対策用体温調節装置。
【請求項２】
前記冷却装置において、
前記冷媒が水であって、
前記冷却部が氷又は保冷剤を収納するための収納ボックスであることを特徴とする請求項１に記載の熱中症対策用体温調節装置。
【請求項３】
前記冷却装置において、
前記冷媒が水又はクーラントであって、
前記冷却部が、二重構造の貯留タンクと、ラジエーターと、電動ファンと、から構成されていることを特徴とする請求項１に記載の熱中症対策用体温調節装置。
【請求項４】
前記冷却装置において、
前記冷媒が代替フロン（ＨＣＦＣ）又は新冷媒（ＨＦＣ）であって、
前記冷却部及び前記駆動部に、気体液化ヒートポンプ型の一体式エアーコンディショナーを用いて該冷媒を前記冷媒循環ホース内に圧送して循環することを特徴とする請求項１に記載の熱中症対策用体温調節装置。
【請求項５】
前記冷媒循環ホースにおいて、
前記冷媒が水又はクーラントであって、
前記冷媒循環ホースが、水又はクーラントの通路となる流水管と、該流水管を保冷剤で覆うための空間を有する二重構造の管状部材であることを特徴とする請求項１から請求項３のいずれかに記載の熱中症対策用体温調節装置。
【考案の詳細な説明】
【技術分野】
【０００１】
本考案は、小型軽量の携帯機能を有する熱中症対策用の体温調節装置に関する。
【背景技術】
【０００２】
環境省が公表している熱中症環境保健マニュアル（２０１１年５月改正）によれば、熱中症とは、高温環境下で体内の水分や塩分（ナトリウムなど）のバランスが崩れたり、体内の調整機能が破綻するなどして発生する障害の総称を言うもので、その発生要因としては高温、多湿、無風状態、輻射源があるなどの環境下において、身体から外気への熱放射が減少し、汗の発汗が不十分となることが要因であると報告されている。
【０００３】
また、近年の地球温暖化の傾向は、ヒートアイランド現象などの緑地や水面の減少と、建築物、舗装面の増大による地表面の人工化や、空調システム、電気機器、自動車などの人間活動に伴う排熱の増加が原因とされ、さらに気温30度を超える時間の増加とその範囲の拡大や、熱帯夜の出現日数も増加傾向にあるとされており、それに伴って長時間の高温環境で作業に従事する職業の人や、炎天下での長時間の重労働や、水分や塩分の摂取を一時的に制限される激しいスポーツや苛酷な環境で労働を行う場合は体温を調節する何らかの防御手段を採ることが必要不可欠とされている。
【０００４】
従来より、首筋の付け根、脇下などの動脈に近い局所部位を冷却することにより体内の血液の温度を効果的に下げて熱中症対策用の保冷剤や、冷却シートが市販されているが、最近ではそれらの保冷剤や冷却シートを縫い込んだりポケット収納することができるスカーフ、帽子、シャツ、ジャケットなどのクールビズ衣料が商品化され、注目を集めている
【０００５】
しかしながら、上記の保冷剤や冷却シートを利用したクールビズ衣料は、冷却時間が限定的であり、長時間の高温度作業者や炎天下での重労働作業者用の体温調節具としては冷却能力が不足するものであり、またそれらの職業の人にとっては、小型軽量の携帯機能を有し、長時間の冷却能力を持つ体温調節具を必要とする作業者に至ってはその要求を満たすものではなかった。
【０００６】
上記の問題点を解決しようとする保冷または温熱用品がストラップに接合されて首に掛けられる「保冷または温熱用品」(特許文献１)や、ベストに多数の袋状空間を設け、該袋状空間に収まる吸水性樹脂に冷媒を吸収させて冷却する「ベスト」(特許文献２)や、保冷剤入りの袋体をリュック状に背負う「簡易背負い保冷具」(特許文献３)が提案されている。
【０００７】
しかしながら、上記の「保冷または温熱用品」(特許文献１)や、「ベスト」(特許文献２)や、「簡易背負い保冷具」(特許文献３)の提案は、軽量で身体にフィットして衣料感覚で装着できる体温調節具ではあるが、長時間の高熱作業や炎天下で作業する職業の人の体温調節具としては冷却能力が不足する問題点を解決するには至っておらず、長時間の冷却能力が持続する体温調節具を必要とする作業者の要求を満たすものではなかった。
【０００８】
上記の冷却能力が長時間の持続できないという問題点を解決しようとする冷却パットに冷媒を循環させて身体の局部を冷却する「冷却パット及びこれを用いた身体局部冷却方法」(特許文献４)や、後頭部の首部に電動ファンを配設した「可搬式後頭部冷却装置」(特許文献５)が提案されている。
【０００９】
しかしながら、上記の「冷却パット及びこれを用いた身体局部冷却方法」(特許文献４)の提案は、冷却パットに冷媒を循環させるチューブが、身体中を縦横無尽に配設されることから身体の自由が奪われ、束縛感を生じさせるものであり、冷却容器や貯留タンクがショルダーバック状に肩掛けされるもので、身体の動きを必用とする作業者の体温調節具としては不向きであった。
【００１０】
また、「可搬式後頭部冷却装置」(特許文献５)の提案は、後頭部の首部に電動ファンを配設する構造であるため、電動ファンを身体に固定するには、キャップ（ヘルメット）やへアバンドを必要とするものであり、また後頭部に重量が掛かり煩わしいことや、電動ファンの回転部が直に露出することで危険性を伴うもので、身体の動きを必用とする作業時や日常生活上で快適な装着状態を維持するには問題があるものだった。
【００１１】
本願考案者は、以上のような従来の熱中症対策用の体温調節具の問題点を解決するために、熱中症対策用体温調節装置の冷媒を循環する冷媒循環ホースに着目し、冷媒循環ホースそのものが冷却機能を備え、さらに小型軽量の携帯機能を有する熱中症対策用の体温調節装置ができないものかとの着想の下、本出願における「熱中症対策用体温調節装置」の提案に至るものである。
【先行技術文献】
【特許文献】
【００１２】
【特許文献１】特開２００９-７２５２３号公報
【特許文献２】特開平１１-２１７７０７号公報
【特許文献３】実用新案登録第３１６６１２７号公報
【特許文献４】特開２００２-１１９５３０号公報
【特許文献５】特開２００３-４９３１７号公報
【考案の概要】
【考案が解決しようとする課題】
【００１３】
本考案は、上記問題点に鑑み、体温を下げるのに密接にかかわる身体の太い血管及びリンパ線に実効的冷却効果を発揮する配置構成となる形状を採用しつつ、作業、生活、或いは運動等の動作に支障の出ないフレキシビリティーで小型軽量な携帯機能を有する熱中症対策用の体温調節装置の提供を図る。
【課題を解決するための手段】
【００１４】
本考案は冷媒循環ホースと、循環ホース変形抑止具と、冷却装置と、から構成される熱中症対策用体温調節装置であって、前記冷媒循環ホースは、装着者の首筋の後部から左右の両肩を通り、更に各左右の両脇の下を通って背中に配置される前記冷却装置左右に接続する形態に屈曲した管状部材であり、前記屈曲形態を維持するように成形された弾力性を有する曲げホース、又はその形態に屈曲して該形態を維持可能なフレキシブルホースを用い、装着者との非接触面部は熱放射性の低い被覆材料で被覆して構成され、前記循環ホース変形抑止具は、装着者の動作に対応して前記冷媒循環ホースの変形を抑制すると共に、首締り防止を図るための部材であり、前記冷媒循環ホースの変形領域を確保しつつ抑制するための高伸縮部と、前記冷媒循環ホースが所定以上の変形とならないようにして首締まりを防止する安全領域を確保するための低伸縮部と、から構成され、前記冷却装置は、冷媒を貯留する貯留部と、冷媒を冷却する冷却部と、冷媒を循環させる駆動部と、該駆動部を駆動させるための電源部と、から構成され、前記冷媒循環ホースの首部前面所定位置に前記変形抑止具を備え、該冷媒循環ホースの両端部が前記冷却装置に連結して構成される手段を採る。
【００１５】
また本考案は前記冷却装置において、前記冷媒が水であって、前記冷却部が氷又は保冷剤を収納するための収納ボックスである手段を採る。
【００１６】
また本考案は前記冷却装置において、前記冷媒が水又はクーラントであって、前記冷却部が、二重構造の貯留タンクと、ラジエーターと、電動ファンと、から構成される手段を採る。
【００１７】
また本考案は前記冷却装置において、前記冷媒が代替フロン（ＨＣＦＣ）又は新冷媒（ＨＦＣ）であって、前記冷却部及び前記駆動部に、気体液化ヒートポンプ型の一体式エアーコンディショナーを用いて冷媒を前記冷媒循環ホース内に圧送して循環する手段を採る。
【００１８】
また本考案は前記冷媒循環ホースにおいて、前記冷媒が水又はクーラントであって、前記冷媒循環ホースが、水又はクーラントの通路となる流水管と、該流水管を保冷剤で覆うための空間を有する二重構造の管状部材である手段を採る。
【考案の効果】
【００１９】
本考案による熱中症対策用体温調節装置によれば、従来の保冷剤や冷却シートを使用して冷却効果を図る手段と比較して、長時間にわたって安定的に且つ、確実に冷却時間の調整が計れる優れた効果を奏する。
【００２０】
また本考案による熱中症対策用体温調節装置によれば、冷媒循環ホースと小型軽量の冷却装置が簡易構成の体温調節装置であるため、使用に際しては装置の装着作業と携行を容易とし、製作に当たっては製造コストの低廉化が図れる優れた効果を奏する。
【００２１】
また本考案による熱中症対策用体温調節装置によれば、冷媒循環ホースが屈曲形態を維持するように成形された弾力性を有する曲げホース又はその形態に屈曲して該形態を維持可能なフレキシブルホースを用いることによって、常に身体の動きにフィットして装着負担を軽減すると共に、身体への接触面積を大きくして冷却効果を高めることができる優れた効果を奏する。
【００２２】
また本考案による熱中症対策用体温調節装置によれば、冷媒循環ホースそのものが冷却機能を備えると共に、体温調節装置全体を身体に装着する携帯機能を有するショルダーバンドの役割を果たすことにより、小型軽量の熱中症対策用の体温調節装置の提供が図られる優れた効果を奏する。
【００２３】
また本考案による熱中症対策用体温調節装置によれば、冷媒循環ホースが冷却装置に接続されて常時循環することにより、高温環境作業者や炎天下での重労働環境作業者の使用に際して長時間わたって冷却効果が維持できる優れた効果を奏する。
【００２４】
また本考案による熱中症対策用体温調節装置によれば、冷媒に水を使用し、収納ボックスに家庭で冷凍できる氷や保冷剤を収納して簡単に冷却効果が得られるため、維持管理が容易であると同時に経済的である優れた効果を奏する。
【００２５】
また本考案による熱中症対策用体温調節装置によれば、冷媒に水、クーラントを使用し、冷却部が二重構造の貯留タンクと、ラジエーターと、電動ファンと、から構成される手段を採ることによって、冷却効果を長時間維持できると共に、冷却温度を使用する環境に合わせて自由に設定できる優れた効果を奏する。
【００２６】
また本考案による熱中症対策用体温調節装置によれば、冷媒に代替フロン（ＨＣＦＣ）又は新冷媒（ＨＦＣ）を使用し、冷却部及び駆動部に、気体液化ヒートポンプ型の一体式エアーコンディショナーを用いて冷媒を冷媒循環ホース内に圧送して循環する手段を採ることによって、一般に普及しているカーエアコンの技術ならびに装置を流用することができるため、製造コストの低蓮化が図れる優れた効果を奏する。
【００２７】
また本考案による熱中症対策用体温調節装置によれば、冷媒に水、クーラントを使用し、冷媒循環ホースが、水又はクーラントの通路となる流水管と、該流水管を保冷剤で覆うための空間を有する二重構造の管状部材である手段を採ることによって、冷媒循環ホース自体を家庭の冷蔵庫で冷却することができるもので、冷却装置による冷却効果と冷媒循環ホース自体の冷却効果の二重の冷却効果が得られる優れた効果を奏する。
【図面の簡単な説明】
【００２８】
【図１】本考案における熱中症対策用体温調節装置の実施形態を示す全体図である。（実施例１）
【図２】本考案における熱中症対策用体温調節装置の使用状態を示す全体説明図である。
【図３】本考案における熱中症対策用体温調節装置の別の実施形態を示す全体説明図である。（実施例２）
【図４】本考案における熱中症対策用体温調節装置の別の実施形態を示す全体説明図である。（実施例３）
【図５】本考案における熱中症対策用体温調節装置の別の実施形態を示す透視斜視図である。（実施例４）
【図６】本考案における熱中症対策用体温調節装置の冷媒循環ホースの実施形態を示す説明図である。（実施例５）
【考案を実施するための形態】
【００２９】
本考案は、冷媒循環ホースと循環ホース変形抑止具と冷却装置とから構成され、冷媒循環ホースそのものが冷却機能を備えると共に、小型軽量の携帯機能を有する熱中症対策用の体温調節装置としたもので、体温を下げるのに密接にかかわる身体の太い血管及びリンパ線に実効的冷却効果を発揮する配置構成となる形状を採用しつつ、作業、生活、或いは運動等の動作に支障の出ないフレキシビリティー性を確保したことを最大の特徴とするものである。以下、実施例を図面に基づいて説明する。
【００３０】
尚、本考案における熱中症対策用体温調節装置は、寸法、形状、材質等において特に下記の実施例に限定されることなく、係る実施例に具現された考案と同一性を失わない範囲内において変更することができるものとする。
【実施例１】
【００３１】
図１は、本考案における熱中症対策用体温調節装置の実施形態を示す全体図である。
図１(a)は前方から見た全体斜視図を示し、図１(b) は後方から見た全体斜視図を示す。
本考案の熱中症対策用体温調節装置１は、冷媒循環ホース１０と、循環ホース変形抑止具２０と、冷却装置３０と、から構成される小型軽量の携帯機能を有する熱中症対策用の体温調節装置である。
【００３２】
冷媒循環ホース１０は、断面形状が円形又は略かまぼこ型を形成し、厚みが略１ｍｍ程度の軟質注型ウレタンゴムで形成され、装着者Ｍの首筋の後部から左右の両肩を通り、更に各左右の両脇の下を通って背中に配置される冷却装置３０の左右に接続する形態に屈曲した図６(a)(b)に示されるような管状部材１１bであり、屈曲形態を維持するように成形された弾力性を有する曲げホース、又はその形態に屈曲して該形態を維持可能なフレキシブルホースを用い、装着者Ｍとの接触面部１２は熱伝導率が高い銅箔シートテープ等の被覆材料で被覆して構成され、非接触面部１３は熱放射性の低い発泡断熱ゴム材等の被覆材料で被覆して構成されるものである。
【００３３】
循環ホース変形抑止具２０は、装着者Ｍの胸の部分に装着されるもので、装着者Ｍの動作に対応して冷媒循環ホース１０の変形を抑制すると共に、首締り防止を図るための部材であり、冷媒循環ホース１０の変形領域を確保しつつ抑制するための高伸縮部２１と、冷媒循環ホース１０が所定以上の変形とならないようにして首締まりを防止する安全領域を確保するための低伸縮部２２とから構成され、ショルダーバンドＳや腰バンドＢによって装着者Ｍの身体に固定されるものである。
【００３４】
また、低伸縮部２２には温度計器、スイッチ、調節ダイヤルなどの制御盤２３が設けられ、温度調節機能が胸元で操作しやすいように装着されている。そして、望ましくは、該制御盤２３内に循環ポンプ３３aのモータを制御するための制御基板を設け、例えば、循環ポンプ３３aに直流モータを用いる場合であれば、これをパルス幅変調(ＰＭＭ：Pulse Width Modulation)方式で制御し、「強」・「中」・「弱」のような冷媒流量を調整可能とすることも考え得る。更には、タイマー機構により電源をＯＮ・ＯＦＦ制御し、例えば１分〜３分の間欠駆動制御することにより、電源部３４の消耗を少なくして長時間の使用を可能とする構成にすることも望ましい。係るタイマー機構は、例えばタイマー内蔵のピック（PIC：Peripheral Interface Controller）を用いて予めROMに書き込んだプログラムにより、所定のタイム条件で制御してもよいし、或いは、タイマーＩＣ555とリレーを組み合わせるような簡易的なものでもよい。
【００３５】
冷却装置３０は、冷媒を貯留する貯留部３１と、冷媒を冷却する冷却部３２と、冷媒を循環させる駆動部３３と、該駆動部３３を駆動させるための電源部３４とから構成される。
【００３６】
貯留部３１は、装着者Ｍの冷却する局部部位を循環する冷媒（水Ｗ又はクーラントＫ）を貯留するタンク容器であって、冷却部３２と複数の仕切り板３３ｄで区切られて連接される。
【００３７】
冷却部３２は、装着者Ｍの体温で暖められた冷媒（水Ｗ又はクーラントＫ）を氷Iや保冷剤Ｈで冷却する熱交換部であって、図３に示されるような貯留部３１内において仕切り板３３ｄで仕切っているのは、氷Iや保冷剤Ｈと冷媒との接触面積を少なくすることで、冷却のための熱交換時間を持続させるためであり、貯留部３１に戻され温かくなっている冷媒（水Ｗ又はクーラントＫ）との温度差が極端に大きくならないように抑えるものである。また、仕切り板３３ａと仕切り板３３ｂで挟まれる領域では、循環ポンプ３３ａによる流体流れ及び冷媒の温度差による自然対流により、該領域内で高温冷媒と低温冷媒とが熱交換されるものである。
【００３８】
駆動部３３は、冷媒（水Ｗ又はクーラントＫ）を循環させる循環ポンプ３３aで、貯留部３１に連結して貯留タンク３１a内の冷媒（水Ｗ又はクーラントＫ）を冷媒循環ホース１０に圧送するもので、吐出ポンプ３３ｂと吸入ポンプ３３ｃで構成されるものである。尚、図示では循環ポンプ３３aの実揚程を確保するために冷媒循環ホース１０の出入り口に吐出ポンプ３３ｂと吸入ポンプ３３ｃを其々別個に配置しているが、循環ポンプ３３a単体で吐出ならびに吸入ポンプを兼ねることも可能である。
【００３９】
電源部３４は、循環ポンプ３３aを駆動させるための電源となる乾電池やリチウムイオン二次電池３４a等であって、家庭用のＡＣ電源で繰り返して充電できるものが望ましく、図示上は本体装置の側面部に設けてあるが、その配置箇所については体温調節装置の設計上において特に指定するものではない。
【００４０】
図２は、本考案における熱中症対策用体温調節装置の使用状態を示す全体説明図である。
図２(a)は前面から見た使用状態図を示し、図２(b) は後面から見た使用状態図を示す。
循環ホース変形抑止具２０が熱中症対策用体温調節装置1の前方に高伸縮部２１によって装着されることで温度計器、スイッチ、調節ダイヤルなどの制御盤２３が設けられて操作しやすい上、さらに冷媒循環ホース１０よる首締まりが防止され、装着時における安全対策が図られるものである。
【００４１】
また、循環ホース変形抑止具２０が装置本体の前面に取り付けられ、冷媒循環ホース１０で冷却装置３０を後方で背負う形で装着されるものである。
【００４２】
冷却装置３０が装着者Ｍの後方にリックサックを背負うような形でショルダーバンドＳや腰バンドＢで固定されて装着されることによって、移動や作業時において常時両手が開放されるため両手を使った作業や持ち運びが容易にできるものである。また、冷媒循環ホース１０がショルダーバンドの役割も果たすため、部品点数が減って軽量となることや、装着者Ｍの冷却部位が連続して冷却されることで冷却効率を高くすることができると共に、冷却操作や脱着操作も容易となるものである。
【００４３】
収納ボックス３０aは、冷却部３２の冷媒が水Ｗを使用する場合の氷I 又は保冷剤Ｈを収納するための氷嚢庫となるボックスとなるものである。冷媒に家庭用の冷蔵庫で冷やされた氷I 又は保冷剤Ｈを冷凍して使用することによって経済的にも廉価であると共に、補充や交換作業が容易に行えるものである。
【００４４】
図３は、本考案における熱中症対策用体温調節装置の断面説明図である。
本考案における熱中症対策用体温調節装置１の冷却システムを簡単に説明すると、冷却装置３０と密着されて冷却された貯留タンク３１a内の冷媒は、貯留タンク３１a内の吸入ポンプ３３ｃによって冷媒循環ホース１０に送られ、その冷媒循環ホース１０内を冷媒が流動することによって身体を冷却し、温められた冷媒は吐出ポンプ３３bよって貯留タンク３１a内に戻され、仕切り板３３ａと仕切り板３３ｂで挟まれる領域において、循環ポンプ３３ａによる流体流れ及び冷媒の温度差による自然対流により、該領域内で高温冷媒と低温冷媒とが熱交換され、再び貯留タンク３１a内の吸入ポンプ３３ｃによって冷媒循環ホース１０に送られて冷却サイクルが完了するものである。なお、貯留部３１内において仕切り板３３ｄで仕切っているのは、氷Iや保冷剤Ｈと冷媒との接触面積を少なくすることで、冷却のための熱交換時間を持続させるためであり、貯留部３１に戻され温かくなっている冷媒（水Ｗ又はクーラントＫ）との温度差が極端に大きくならないように抑えるものである。
【実施例２】
【００４５】
図４は、本考案における熱中症対策用体温調節装置の別の実施形態を示す全体説明図である。
冷却装置３０は、冷媒が水Ｗ又はクーラントＫを使用し、冷却部３２が二重構造の貯留タンク３５と、ラジエーター３６と、電動ファン３７から構成されている。
【００４６】
二重構造の貯留タンク３５は、電動ファン３７の下方に設けられる断熱材で囲まれる二重構造のレシーバータンクである。
【００４７】
ラジエーター３６は、電動ファン３７を稼動させて空冷する空冷式の放熱器で、ラジエーター３６の上方に電動ファン３７を配置し、ラジエーター３６の後方に電動ファン３７の排気口３９を配置させて放熱風が装着者Ｍに直接当たらないように配設されるものである。
【００４８】
電動ファン３７は、電動モータとファンが一体になっている冷却用の風量ファンで、ラジエーター３６のチューブとフィンの表面に空気を当てて冷却するものである。
【実施例３】
【００４９】
図５は、本考案における熱中症対策用体温調節装置の別の実施形態を示す透視斜視図である。
冷却装置３０において、冷媒が代替フロンＦ（ＨＣＦＣ）又は新冷媒Ｒ（ＨＦＣ）であって、冷却部３２及び駆動部３３に、気体液化ヒートポンプ型の一体式エアーコンディショナー３８を用い、該一体式エアーコンディショナー３８の圧縮機３８aにより該冷媒を冷媒循環ホース１０内に圧送して循環するものである。
【００５０】
エアーコンディショナー３８は、圧縮機３８a、凝縮器３８b、蒸発器３８cが一体となった気体液化ヒートポンプユニットである。その働きを簡単に説明すると、循環ポンプ３３aを駆動させるための電源となるリチウムイオン二次電池３４aの通電によって冷媒代替フロンＦ（ＨＣＦＣ）又は新冷媒Ｒ（ＨＦＣ）を圧縮し、その圧縮されて蓄積された冷媒は、凝縮器３８b（コンデンサー）で電動ファン３７による強制空冷で冷却されたガス状の冷媒が液化され、その液化された冷媒は気体液化ヒートポンプユニットの蒸発器蒸発器３８c（エバポレーター）に送られ、その蒸発器３８c（エバポレーター）には膨張弁３８d（エキスパンションバルブ）が内蔵されており、ここで液化された冷媒が一気に気化されて冷却サイクルが行われるものである。
【実施例４】
【００５１】
図６は、本考案における熱中症対策用体温調節装置の冷媒循環ホースの実施形態を示す説明図である。
図６(a)は冷媒循環ホース１０の断面斜視図を示す。
冷媒循環ホース１０は、冷媒が水Ｗ又はクーラントＫを使用し、断面形状が円形又は略かまぼこ型を形成し、冷媒の通路となる流水管１１aと、該流水管１１aを保冷剤Ｈで覆うための空間を有する二重構造の管状部材１１bで構成されるものである。
【００５２】
流水管１１aは、軟質注型ウレタンゴムで形成される弾力性を有する曲げホース、又はその形態に屈曲して該形態を維持可能なフレキシブルホースで、ジェル状の保冷剤Ｈが充填された二重構造の管状部材１１bで被覆されるものである。
【００５３】
図６(b) は冷媒循環ホース１０の断面図を示す。
管状部材１１bは、軟質注型ウレタンゴムで形成される弾力性を有する曲げホース、又はその形態に屈曲して該形態を維持可能なフレキシブルホースで、外周には断熱発泡ウレタンゴムで被覆されるものである。
【００５４】
冷媒循環ホース１０の装着者Ｍに接する接触面部１２は、熱伝導率が高い銅箔蒸着テープ等の被覆材料で被覆して構成されるものである。
【００５５】
冷媒循環ホース１０の装着者Ｍに接しない非接触面部１３は、熱放射性の低いセラミックペーパーや、発泡断熱ゴム等の被覆材料で被覆して構成されるものである。
【００５６】
図６(ｃ) は冷媒循環ホース１０を装置本体から取り外した状態を示す。
冷媒循環ホース１０は装置本体から接続継ぎ手１４を介して簡単に取り外すことができるものである。
【００５７】
図６(ｄ) は冷媒循環ホース１０を装置本体から取り外して冷蔵庫に入れる状態を示す。
取り外しされた冷媒循環ホース１０は家庭用の冷蔵庫の冷凍室に収納して冷却することができるものである。
【産業上の利用可能性】
【００５８】
本考案における熱中症対策用体温調節装置は、熱中症対策用の冷却装置として使用されるばかりではなく、冷媒を替えることによって冬季の野外作業時や山岳スポーツにおける暖房用体温調節装置としても仕様変更できることから、本考案による「熱中症対策用体温調節装置」の産業上の利用可能性は極めて高いものと解する。
【符号の説明】
【００５９】
１  熱中症対策用体温調節装置
１０  冷媒循環ホース
１１a流水管
１１b管状部材
１２  接触面部
１３  非接触面部
１４  接続継ぎ手
２０  循環ホース変形抑止具
２１  高伸縮部
２２  低伸縮部
２３  制御盤
３０  冷却装置
３０a収納ボックス
３１  貯留部
３１a貯留タンク
３２  冷却部
３３  駆動部
３３a循環ポンプ
３３b吐出ポンプ
３３c吸入ポンプ
３３d仕切り板
３４  電源部
３４aリチウムイオン二次電池
３５  二重構造の貯留タンク
３６  ラジエーター
３７  電動ファン
３８  エアーコンディショナー
３８a圧縮機
３８b凝縮器
３８c蒸発器
３８d膨張弁
３９  排気口
Ｗ    水
Ｉ    氷
Ｈ    保冷剤
Ｋ    クーラント
Ｆ    代替フロン
Ｒ    新冷媒
Ｍ    装着者
Ｓ    ショルダーバンド
Ｂ    腰バンド
【図１】
0003171066.tif 000003
【図２】
0003171066.tif 000004
【図３】
0003171066.tif 000005
【図４】
0003171066.tif 000006
【図５】
0003171066.tif 000007
【図６】
0003171066.tif 000008